(57)【要約】  本願の実施形態は、情報指示方法および情報指示装置を提供する。方法は、第１フレームを生成する段階であって、ここで、第１フレームは６ＧＨｚ帯域で動作するステーションのアドレス情報を含む、生成する段階と、２．４ＧＨｚ帯域および／または５ＧＨｚ帯域で第１フレームを送信する段階とを含む。本願の実施形態に提供される情報指示方法および情報指示装置によると、送信ステーションは、６ＧＨｚ帯域で動作するステーションのアドレスを正確に示し得る。従って、関連付けられていない受信機ステーションまたはローミング状態にある受信機ステーションは、６ＧＨｚ帯域で動作するステーションのアドレスを把握した後、６ＧＨｚ帯域で動作するステーションと正確に関連付けられ、一方向に通信し得る。
2021510244.tif 000002
【特許請求の範囲】
【請求項１】
情報指示方法であって、
第１フレームを生成する段階であって、前記第１フレームは、６ＧＨｚ帯域で動作するステーションのアドレス情報を有する、生成する段階と、２．４ＧＨｚ帯域および／または５ＧＨｚ帯域で前記第１フレームを送信する段階と
を備える、方法。
【請求項２】
情報指示方法であって、
２．４ＧＨｚ帯域および／または５ＧＨｚ帯域で第１フレームを受信する段階であって、前記第１フレームは、６ＧＨｚ帯域で動作するステーションのアドレス情報を有する、受信する段階と、
前記６ＧＨｚ帯域で第２フレームを送信する段階であって、前記第２フレームの受信アドレスは、前記アドレス情報内のアドレスである、送信する段階と
を備える、方法。
【請求項３】
前記アドレス情報は、前記第１フレームのＨＥ動作エレメントの６ＧＨｚ動作情報フィールドに位置付けられる、請求項１または２に記載の方法。
【請求項４】
前記第１フレームの前記ＨＥ動作エレメントのＨＥ動作パラメータフィールドは、前記アドレス情報が出現するかどうかを示すための指示情報を含む、請求項１から３のいずれか一項に記載の方法。
【請求項５】
前記アドレス情報は、前記６ＧＨｚ帯域で動作する前記ステーションのＭＡＣアドレス、または前記６ＧＨｚ帯域で動作する前記ステーションが位置付けられるＢＳＳのＢＳＳＩＤである、請求項１から４のいずれか一項に記載の方法。
【請求項６】
前記６ＧＨｚ帯域で動作する前記ステーションが位置付けられるＢＳＳのＢＳＳＩＤがＢＳＳＩＤセットのＢＳＳＩＤである場合、前記アドレス情報は、前記ＢＳＳＩＤセットの伝送ＢＳＳＩＤである、請求項１から４のいずれか一項に記載の方法。
【請求項７】
前記６ＧＨｚ動作情報フィールドはさらに、ＴＳＦ情報およびビーコンフレーム情報を含む、請求項２から６のいずれか一項に記載の方法。
【請求項８】
前記ＴＳＦ情報は、ＴＳＦ差異情報またはＴＳＦ値を含み、前記ＴＳＦ差異情報は、前記６ＧＨｚ周波数帯域で動作するアクセスポイントのタイムスタンプと、前記２．４ＧＨｚ帯域および／または前記５ＧＨｚ帯域で前記第１フレームを送信するアクセスポイントのタイムスタンプとの間の差異を示し、前記ＴＳＦ値は、前記６ＧＨｚ帯域で動作する前記アクセスポイントの前記タイムスタンプを示す、請求項７に記載の方法。
【請求項９】
前記ビーコンフレーム情報は、ビーコンフレーム間隔または目標ビーコンフレーム伝送時間を含み、前記ビーコンフレーム間隔は、６ＧＨｚの前記ＡＰがビーコンフレームを伝送する間隔を示し、前記目標ビーコンフレーム伝送時間は、６ＧＨｚの前記ＡＰの最新のビーコンフレームの伝送時間を示す、請求項７に記載の方法。
【請求項１０】
前記第１フレームの前記６ＧＨｚ動作情報フィールドはさらに、メインチャネル、チャネル帯域幅、およびチャネル中央周波数といった３つのパラメータのうちの少なくとも１つを含む、請求項１から９のいずれか一項に記載の方法。
【請求項１１】
前記６ＧＨｚ帯域で動作する前記ステーションおよび前記第１フレームを送信する前記ステーションは、同じ場所に設置されるデバイスであるか、同じマルチバンドデバイスに属する、請求項１から１０のいずれか一項に記載の方法。
【請求項１２】
情報指示装置であって、
第１フレームを生成するように構成される処理ユニットであって、前記第１フレームは、６ＧＨｚ帯域で動作するステーションのアドレス情報を有する、処理ユニットと、
２．４ＧＨｚ帯域および／または５ＧＨｚ帯域で前記第１フレームを送信するように構成される送受信機ユニットと
を備える、装置。
【請求項１３】
情報指示装置であって、
２．５ＧＨｚ帯域および／または４ＧＨｚ帯域で第１フレームを受信することであって、前記第１フレームは、前記６ＧＨｚ帯域で動作するステーションのアドレス情報を有する、受信することと、６ＧＨｚ帯域で第２フレームを送信することとを行うように構成される送受信機ユニットと、
第２フレームを生成するように構成される処理ユニットであって、前記第２フレームの受信アドレスは、前記アドレス情報内のアドレスである、処理ユニットと
を備える、装置。
【請求項１４】
前記アドレス情報は、前記第１フレームのＨＥ動作エレメントの６ＧＨｚ動作情報フィールドに位置付けられる、請求項１２または１３に記載の装置。
【請求項１５】
前記第１フレームの前記ＨＥ動作エレメントのＨＥ動作パラメータフィールドは、前記アドレス情報が出現するかどうかを示すための指示情報を含む、請求項１２から１４のいずれか一項に記載の装置。
【請求項１６】
前記アドレス情報は、前記６ＧＨｚ帯域で動作する前記ステーションのＭＡＣアドレス、または前記６ＧＨｚ帯域で動作する前記ステーションが位置付けられるＢＳＳのＢＳＳＩＤである、請求項１２から１５のいずれか一項に記載の装置。
【請求項１７】
前記６ＧＨｚ帯域で動作する前記ステーションが位置付けられるＢＳＳのＢＳＳＩＤがＢＳＳＩＤセットのＢＳＳＩＤである場合、前記アドレス情報は、前記ＢＳＳＩＤセットの伝送ＢＳＳＩＤである、請求項１２から１５のいずれか一項に記載の装置。
【請求項１８】
前記６ＧＨｚ動作情報フィールドはさらに、ＴＳＦ情報およびビーコンフレーム情報を含む、請求項１４から１７のいずれか一項に記載の装置。
【請求項１９】
前記ＴＳＦ情報は、ＴＳＦ差異情報またはＴＳＦ値を含み、前記ＴＳＦ差異情報は、前記６ＧＨｚ周波数帯域で動作するアクセスポイントのタイムスタンプと、前記２．４ＧＨｚ帯域および／または前記５ＧＨｚ帯域で前記第１フレームを送信するアクセスポイントのタイムスタンプとの間の差異を示し、前記ＴＳＦ値は、前記６ＧＨｚ帯域で動作する前記アクセスポイントの前記タイムスタンプを示す、請求項１８に記載の装置。
【請求項２０】
前記ビーコンフレーム情報は、ビーコンフレーム間隔または目標ビーコンフレーム伝送時間を含み、前記ビーコンフレーム間隔は、６ＧＨｚの前記ＡＰがビーコンフレームを伝送する間隔を示し、前記目標ビーコンフレーム伝送時間は、６ＧＨｚの前記ＡＰの最新のビーコンフレームの伝送時間を示す、請求項１８に記載の装置。
【請求項２１】
前記第１フレームの前記６ＧＨｚ動作情報フィールドはさらに、メインチャネル、チャネル帯域幅、およびチャネル中央周波数といった３つのパラメータのうちの少なくとも１つを含む、請求項１２から２０のいずれか一項に記載の装置。
【請求項２２】
前記６ＧＨｚ帯域で動作する前記ステーションおよび前記第１フレームを送信する前記ステーションは、同じ場所に設置されるデバイスであるか、同じマルチバンドデバイスに属する、請求項１２から２１のいずれか一項に記載の装置。
【発明の詳細な説明】
【技術分野】
【０００１】
本願は、２０１８年８月７日に中国国家知識財産権局に出願された「情報指示方法および情報指示装置」と題する中国特許出願第２０１８１０８９１８５９．４号に基づく優先権を主張するものであり、当該特許出願はその全体が参照により本明細書に組み込まれる。
【０００２】
本願の実施形態は、通信分野、特に、通信分野における情報指示方法および情報指示装置に関する。
【背景技術】
【０００３】
新しく開放された６ＧＨｚ帯域の周波数範囲は、１ＧＨｚより広い。関連付けられていない非アクセスステーション（Ｎｏｎ  ＡＰ  Ｓｔａｔｉｏｎ）またはローミング状態にある非アクセスステーション（Ｎｏｎ  ＡＰ  Ｓｔａｔｉｏｎ）は、１ＧＨｚより広い帯域を能動的にスキャンして、周辺のアクセスポイントＡＰについての情報を取得する必要がある。以下の方式は、１ＧＨｚより広い帯域の各チャネルを継続的に切り替え、ブロードキャストによってプローブ要求フレームＰｒｏｂｅ  Ｒｅｑｕｅｓｔを送信して周辺のＡＰにより応答されるプローブ応答フレームを取得し、次にアソシエーションのために適切なＡＰを選択するのに使用される。しかしながら、この方法のデメリットは、長時間を要すること、エネルギー消費量が多いこと、および６ＧＨｚ帯域における不要な輻輳である。
【発明の概要】
【０００４】
本願の実施形態に提供される情報指示方法および情報指示装置によると、送信ステーションは、６ＧＨｚ帯域で動作するステーションのアドレスを正確に示し得る。従って、関連付けられていない受信機ステーションまたはローミング状態にある受信機ステーションは、６ＧＨｚ帯域で動作するステーションのアドレスを把握した後、６ＧＨｚ帯域で動作するステーションと正確に関連付けられ、一方向に通信し得る。
【０００５】
第１の態様によると、本願の実施形態は、第１フレームを生成する段階であって、ここで、第１フレームは６ＧＨｚ帯域で動作するステーションのアドレス情報を含む、生成する段階と、２．４ＧＨｚ帯域および／または５ＧＨｚ帯域で第１フレームを送信する段階とを含む情報指示方法を提供する。
【０００６】
送信ステーションは、２．４ＧＨｚ帯域および／または５ＧＨｚ帯域で第１フレームを送信し、第１フレームは、６ＧＨｚ帯域で動作するステーションのアドレス情報を含むことを理解すべきである。
【０００７】
本願のこの実施形態において、送信ステーションは、６ＧＨｚ帯域で動作するステーションのアドレスを正確に示し得る。従って、関連付けられていない受信機ステーションまたはローミング状態にある受信機ステーションは、６ＧＨｚ帯域で動作するステーションのアドレスが把握した後、６ＧＨｚ帯域で動作するステーションと正確に関連付けられ、一方向に通信し得る。
【０００８】
第１の態様の可能な実装において、アドレス情報は、第１フレームのＨＥ動作エレメントの６ＧＨｚ動作情報フィールドに位置付けられる。
【０００９】
第１の態様の可能な実装において、第１フレームのＨＥ動作エレメントのＨＥ動作パラメータフィールドは、アドレス情報が出現するかどうかを示すための指示情報を含む。指示情報が第１の値である場合、アドレス情報が出現し、６ＧＨｚ帯域で動作するステーションのアドレス情報は第１フレームのアドレス情報であることを示す。指示情報が第２の値である場合、アドレス情報は出現せず、６ＧＨｚ帯域で動作するステーションのアドレスが６ＧＨｚ動作情報フィールドを含むフレームを送信する送信アドレス、または６ＧＨｚ動作情報フィールドを含むフレームを送信する送信ステーションのＢＳＳＩＤであることを示す。
【００１０】
第１の態様の可能な実装において、第１フレームのＨＥ動作エレメントのＨＥ動作パラメータフィールドは、アドレス情報が出現するかどうかを示すための指示情報を含む。指示情報が第１の値である場合、アドレス情報は６ＧＨｚ動作情報フィールドに出現し、６ＧＨｚ帯域で動作するステーションのアドレスは、６ＧＨｚ帯域で動作するステーションのＭＡＣアドレス、または６ＧＨｚ帯域で動作するステーションが位置付けられるＢＳＳのＢＳＳＩＤであることを示す。指示情報が第２の値である場合、アドレス情報は６ＧＨｚ動作情報フィールドに出現せず、６ＧＨｚ帯域で動作するステーションのアドレスが６ＧＨｚ動作情報フィールドを含むフレームを送信する送信アドレス、または６ＧＨｚ動作情報フィールドを含むフレームを送信する送信ステーションのＢＳＳＩＤであることを示す。
【００１１】
第１の態様の可能な実装において、アドレス情報は、６ＧＨｚ帯域で動作するステーションのＭＡＣアドレス、または６ＧＨｚ帯域で動作するステーションが位置付けられるＢＳＳのＢＳＳＩＤである。
【００１２】
第１の態様の可能な実装において、６ＧＨｚ帯域で動作するステーションが位置付けられるＢＳＳのＢＳＳＩＤがＢＳＳＩＤセットのＢＳＳＩＤである場合、アドレス情報は、ＢＳＳＩＤセットの伝送ＢＳＳＩＤである。
【００１３】
第１の態様の可能な実装において、６ＧＨｚ動作情報フィールドは、ＴＳＦ情報およびビーコンフレーム情報をさらに含む。
【００１４】
２．４ＧＨｚ帯域および／または５ＧＨｚ帯域の送信ステーションによって送信される第１フレームの６ＧＨｚ動作情報フィールドは、ＴＳＦ情報およびビーコンフレーム情報をさらに含むことを理解すべきである。
【００１５】
本願のこの実施形態において、送信ステーションは、ＴＳＦ情報およびビーコンフレーム情報をさらに示す。従って、関連付けられていない受信機ステーションまたはローミング状態にある受信機ステーションは、６ＧＨｚ帯域で動作するステーションがビーコンフレームを送信する時間を推定し、６ＧＨｚ帯域で動作するステーションのＴＳＦ情報およびビーコンフレーム情報が把握した後、関連ＢＳＳについての情報をさらに把握し得る。これは、受動的スキャニングを容易にする。
【００１６】
第１の態様の可能な実装において、ＴＳＦ情報は、ＴＳＦ差異情報またはＴＳＦ値を含む。ＴＳＦ差異情報は、６ＧＨｚ帯域で動作するアクセスポイントのタイムスタンプと、２．４ＧＨｚ帯域および／または５ＧＨｚ帯域で第１フレームを送信するアクセスポイントのタイムスタンプとの間の差異を示す。ＴＳＦ値は、６ＧＨｚ帯域で動作するアクセスポイントのタイムスタンプを示す。
【００１７】
第１の態様の可能な実装において、ビーコンフレーム情報は、ビーコンフレーム間隔または目標ビーコンフレーム伝送時間を含む。ビーコンフレーム間隔は、６ＧＨｚのＡＰがビーコンフレームを伝送する間隔を示す。目標ビーコンフレーム伝送時間は、６ＧＨｚのＡＰの最新のビーコンフレームの伝送時間を示す。
【００１８】
第１の態様の可能な実装において、第１フレームの６ＧＨｚ動作情報フィールドは、メインチャネル、チャネル帯域幅、およびチャネル中央周波数といった３つのパラメータのうちの少なくとも１つをさらに含む。
【００１９】
第１の態様の可能な実装において、６ＧＨｚ帯域で動作するステーションおよび第１フレームを送信するステーションは、同じ場所に設置されるデバイスであるか、または同じマルチバンドデバイスに属する。
【００２０】
第２の態様によると、本願の実施形態は、２．４ＧＨｚ帯域および／または５ＧＨｚ帯域で第１フレームを受信する段階であって、ここで、第１フレームは、６ＧＨｚ帯域で動作するステーションのアドレス情報を含む、受信する段階と、６ＧＨｚ帯域で第２フレームを送信する段階であって、ここで、第２フレームの受信アドレスは、アドレス情報内のアドレスである、送信する段階とを含む、情報指示方法を提供する。
【００２１】
受信機ステーションは、２．４ＧＨｚ帯域および／または５ＧＨｚ帯域で第１フレームを受信し、第１フレームは、６ＧＨｚ帯域で動作するステーションのアドレス情報を含み、６ＧＨｚ帯域で動作するステーションのアドレス情報を取得した後、受信機ステーションは、受信アドレスがアドレス情報内のアドレスである第２フレームを生成および送信することを理解すべきである。
【００２２】
本願のこの実施形態において、関連付けられていない受信機ステーションまたはローミング状態にある受信機ステーションは、６ＧＨｚ帯域で動作するステーションのアドレスを把握した後、６ＧＨｚ帯域で動作するステーションと正確に関連付けられ、一方向に通信し得る。
【００２３】
第２態様において、本願のこの実施形態における情報指示方法の詳細は、第１の態様における詳細と同じである。本明細書では、詳細について再び説明しない。
【００２４】
第１の態様の方法または第１の態様の任意の可能な実装と、第２態様の方法または第２態様の任意の可能な実装とは、別に実装されてもよく、使用のために組み合わされてもよいことが理解され得る。これについては、本願のこの実施形態において限定されない。
【００２５】
第３の態様によると、本願の実施形態は、第１の態様の方法または第１の態様の任意の可能な実装、および／または第２態様の方法または第２態様の任意の可能な実装を実行するように構成される情報指示装置を提供する。
【００２６】
第４の態様によると、本願の実施形態は送受信機／送受信機ピンおよびプロセッサを含む情報指示デバイスを提供する。任意選択的に、デバイスはメモリをさらに含む。送受信機／送受信機ピン、プロセッサ、およびメモリは、内部接続パスを使用して互いに通信する。プロセッサは、信号を送信または受信するように送受信機／送受信機ピンを制御する命令を実行するように構成される。メモリは、命令を記憶するように構成される。プロセッサが命令を実行する場合、プロセッサは、第１の態様の方法または第１の態様の任意の可能な実装、および／または第２態様の方法または第２態様の任意の可能な実装を実行する。
【００２７】
第５の態様によると、本願の実施形態は、コンピュータプログラムを記憶するように構成されるコンピュータ可読記憶媒体を提供する。コンピュータプログラムは、第１の態様の方法または第１の態様の任意の可能な実装を実行する命令、および／または第２態様の方法または第２態様の任意の可能な実装を実行する命令を含む。
【００２８】
第６の態様によると、本願の実施形態は、コンピュータプログラム製品を提供する。コンピュータプログラム製品は、コンピュータプログラムコードを含む。コンピュータプログラムコードがコンピュータで実行される場合、コンピュータは、第１の態様の方法または第１の態様の任意の可能な実装、および／または第２態様の方法または第２態様の任意の可能な実装を実行することが可能になる。
【図面の簡単な説明】
【００２９】
【図１】本願の実施形態に係る可能な応用シナリオである。
【００３０】
【図２】本願の実施形態に係る情報指示方法のフローチャートである。
【００３１】
【図３】本願の実施形態に係るＨＥ動作エレメントを示す図である。
【００３２】
【図４】本願の実施形態に係る可能な６ＧＨｚ動作情報フィールドを示す図である。
【００３３】
【図５】本願の実施形態に係るＨＥ動作パラメータフィールドを示す図である。
【００３４】
【図６】本願の実施形態に係る別の可能な６ＧＨｚ動作情報フィールドを示す図である。
【００３５】
【図７】本願の実施形態に係る別の可能な６ＧＨｚ動作情報フィールドを示す図である。
【００３６】
【図８】本願の実施形態に係るネイバーレポートエレメントを示す図である。
【００３７】
【図９ａ】本願の実施形態に係るＢＳＳＩＤ情報フィールドを示す図である。
【００３８】
【図９ｂ】本願の実施形態に係るＢＳＳＩＤ情報フィールドの別の実施形態を示す図である。
【００３９】
【図１０】本願の実施形態に係るマルチＢＳＳＩＤエレメントを示す図である。
【００４０】
【図１１】本願の実施形態に係るマルチＢＳＳＩＤシーケンス番号エレメントを示す図である。
【００４１】
【図１２】本願の実施形態に係るＡＰ側の情報指示装置のブロック図である。
【００４２】
【図１３】本願の実施形態に係るＳＴＡ側の情報指示装置のブロック図である。
【００４３】
【図１４】本願の実施形態に係る可能な製品の図である。
【発明を実施するための形態】
【００４４】
以下では、本願の実施形態における添付図面を参照して、本願の実施形態の技術的解決手段を説明する。
【００４５】
本願の実施形態における技術的解決手段は、移動通信用グローバルシステム（ｇｌｏｂａｌ  ｓｙｓｔｅｍ  ｏｆ  ｍｏｂｉｌｅ  ｃｏｍｍｕｎｉｃａｔｉｏｎ，ＧＳＭ（登録商標））、符号分割多元接続（ｃｏｄｅ  ｄｉｖｉｓｉｏｎ  ｍｕｌｔｉｐｌｅ  ａｃｃｅｓｓ，ＣＤＭＡ）システム、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ，ＷＣＤＭＡ（登録商標））システム、汎用パケット無線サービス（ｇｅｎｅｒａｌ  ｐａｃｋｅｔ  ｒａｄｉｏ  ｓｅｒｖｉｃｅ，ＧＰＲＳ）システム、ユニバーサル移動体通信システム（ｕｎｉｖｅｒｓａｌ  ｍｏｂｉｌｅ  ｔｅｌｅｃｏｍｍｕｎｉｃａｔｉｏｎ  ｓｙｓｔｅｍ，ＵＭＴＳ）、ワールドワイドインターオペラビリティ・フォー・マイクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ，ＷｉＭＡＸ）通信システム、将来の５Ｇ通信システム、または無線アクセス技術を使用する他様々な無線通信システムなどの様々な通信システムに適用され得ることを理解すべきである。
【００４６】
図１は、本願の実施形態に係る可能な応用シナリオである。本願のこの実施形態におけるステーションは、アクセスステーション（ＡＰ，Ａｃｃｅｓｓ  Ｐｏｉｎｔ）および非アクセスステーションＳＴＡ（Ｎｏｎ‐ＡＰ  Ｓｔａｔｉｏｎ）を含むことを理解すべきである。言い換えれば、本願のこの実施形態の応用シナリオは、ＡＰがＳＴＡへの送信を実行し、ＳＴＡがＡＰへの送信を実行し、ＡＰがＡＰへの送信を実行し、ＳＴＡがＳＴＡへの送信を実行するシナリオを含む。図１は一例に過ぎず、本願のこの実施形態のすべての応用シナリオを表すものではない。
【００４７】
新しく開放された６ＧＨｚ帯域の周波数範囲は、１ＧＨｚより広い。関連付けられていないステーションまたはローミング状態にあるステーションＳＴＡは、１ＧＨｚより広い帯域を能動的にスキャンして、周辺のＡＰについての情報を取得する必要がある。以下の方式は、１ＧＨｚより広い帯域の各チャネルを継続的に切り替え、ブロードキャストによってプローブ要求フレームＰｒｏｂｅ  Ｒｅｑｕｅｓｔを送信して周辺のＡＰにより応答されるプローブ応答フレームを取得し、次にアソシエーションのために適切なＡＰを選択するのに使用される。しかしながら、この方法のデメリットは、長時間を要すること、エネルギー消費量が多いこと、および６ＧＨｚ帯域における不要な輻輳である。例えば、（１）関連付けられていないステーションまたはローミング状態にあるステーションがブロードキャストプローブ要求フレームを送信することは禁止されている。（２）ステーションが、６ＧＨｚで８０２．１１ｎデータパケットＨＴ  ＰＰＤＵおよび８０２．１１ａｃデータパケットＶＨＴ  ＰＰＤＵを送信することは禁止されている。（３）６ＧＨｚ動作情報フィールドを含む６ＧＨｚ帯域のＢＳＳ情報は、２．４ＧＨｚおよび５ＧＨｚでブロードキャストされ、ここで、６ＧＨｚ動作情報フィールドは、ＢＳＳ帯域幅、メインチャネル、およびチャネルアクセスメカニズムを含む。関連付けられていないステーションまたはローミング状態にあるステーションは、２．４ＧＨｚ／５ＧＨｚで受信される６ＧＨｚ帯域のＢＳＳ情報を使用して、６ＧＨｚのＡＰと関連付けられ、通信する。
【００４８】
以下では、ＡＰが２．４ＧＨｚ帯域および／または５ＧＨｚ帯域でＳＴＡに第１フレームを送信する例を使用して、本願の実施形態における解決手法を説明する。
【００４９】
図２は、本願の実施形態に係る情報指示方法のフローチャートである。 
【００５０】
Ｓ１０１．ＡＰが第１フレームを生成し、ここで、第１フレームは６ＧＨｚ帯域で動作するＡＰのアドレス情報を含む。
【００５１】
Ｓ１０１において、具体的には、ＡＰにより生成される第１フレームは、ビーコンフレーム、プローブ応答フレーム、ネイバーレポートフレーム、または別の管理フレームであってよい。図３に示されるように、ビーコンフレーム、プローブ応答フレーム、ネイバーレポートフレーム、および別の管理フレームに含まれるＨＥ動作エレメント（ＨＥ  Ｏｐｅｒａｔｉｏｎ  Ｅｌｅｍｅｎｔ）に、６ＧＨｚ動作情報フィールドが新しく追加される。アドレス情報は、６ＧＨｚ動作情報フィールドに位置付けられる。ＨＥ動作エレメントにおける他のフィールドは、８０２．１１ａｘのＨＥ動作エレメントにおける他のフィールドと同じである。例えば、他のフィールドは、エレメントＩＤ（識別子、ｉｄｅｎｔｉｆｉｅｒ）フィールド、長さフィールド、エレメントＩＤ拡張フィールド、ＨＥ動作パラメータフィールド、ＢＳＳ（基本サービスセット、ｂａｓｉｃ  ｓｅｒｖｉｃｅ  ｓｅｔ）カラー情報フィールド、基本ＨＥ‐ＭＣＳ（高効率変調およびコーディング方式、ｈｉｇｈ  ｅｆｆｉｃｉｅｎｃｙ−ｍｏｄｕｌａｔｉｏｎ  ａｎｄ  ｃｏｄｉｎｇ  ｓｃｈｅｍｅ）およびＮＳＳ（空間ストリームの数、ｎｕｍｂｅｒ  ｏｆ  ｓｐａｔｉａｌ  ｓｔｒｅａｍ）セットフィールド、ＶＨＴ（非常に高いスループット、ｖｅｒｙ  ｈｉｇｈ  ｔｈｒｏｕｇｈｐｕｔ）動作情報フィールド、および最大共通位置基本サービスセット指示ｍａｘ  ｃｏ−ｌｏｃａｔｅｄ  ＢＳＳＩＤ（ＢＳＳ  ｉｄｅｎｔｉｆｉｅｒ）フィールドを含む。
【００５２】
図４は、６ＧＨｚ動作情報フィールドを示す。６ＧＨｚ動作情報フィールドは、メインチャネルフィールド、チャネル制御フィールド、チャネル中央周波数セグメント０フィールド、チャネル中央周波数セグメント１フィールド、および６ＧＨｚ帯域で動作するステーションのアドレス情報を含む。
【００５３】
可能な実装において、アドレス情報は、６ＧＨｚ帯域で動作するステーションのＭＡＣアドレス、または６ＧＨｚ帯域で動作するステーションが位置付けられるＢＳＳのＢＳＳＩＤである。別の可能な実装において、６ＧＨｚ帯域で動作するステーションが位置付けられるＢＳＳのＢＳＳＩＤがＢＳＳＩＤセットのＢＳＳＩＤである場合、アドレス情報は、非伝送ＢＳＳＩＤ（Ｎｏｎ−ｔｒａｎｓｍｉｔｔｅｄ  ＢＳＳＩＤ）ではなく、ＢＳＳＩＤセットにおける伝送ＢＳＳＩＤ（ｔｒａｎｓｍｉｔｔｅｄ  ＢＳＳＩＤである。ＢＳＳＩＤセットの１つのＢＳＳＩＤのみが伝送ＢＳＳＩＤであり、残りのＢＳＳＩＤは非伝送ＢＳＳＩＤである。伝送ＢＳＳＩＤに対応するＡＰは、ビーコンフレームを伝送する必要がある。ビーコンフレームは、マルチＢＳＳＩＤセットにおけるＢＳＳＩＤを示すためのマルチＢＳＳＩＤエレメント、および対応するＡＰのＢＳＳ情報を含む。非伝送ＢＳＳＩＤに対応するＡＰは、ビーコンフレームを伝送し得る。しかしながら、ビーコンフレームはマルチＢＳＳＩＤエレメントを含まない。
【００５４】
本願のこの実施形態において、６ＧＨｚ帯域で動作するＡＰに関する、第１フレームにあるアドレス情報を使用して、ＡＰは、６ＧＨｚ帯域で動作するＡＰのアドレスを正確に示し得る。従って、関連付けられていないＳＴＡまたはローミング状態にあるＳＴＡは、６ＧＨｚ帯域で動作するＡＰのアドレスを把握した後、６ＧＨｚ帯域で動作するＡＰと正確に関連付けられ、一方向に通信し得る。
【００５５】
チャネル制御フィールドは、４ビットチャネル帯域幅（値０から３が２０ＭＨｚチャネル帯域幅、４０ＭＨｚチャネル帯域幅、８０ＭＨｚチャネル帯域幅、および１６０ＭＨｚチャネル帯域幅にそれぞれ対応し、値４から１５は予約値であり、使用されない）、および４ビットチャネルアクセスフィールド（値０は、６ＧＨｚチャネルにおけるチャネルを先行占有するためにＥＤＣＡを使用することが禁止されていることを示し、値１は、６ＧＨｚチャネルにおけるチャネルを先行占有するためにＥＤＣＡを使用することが可能であることを示し、値２から１５は予約値であり、使用されない）を含む。この実施形態において言及されたチャネルアクセスフィールドは存在しない場合があることを留意されたい。この場合、ＳＴＡは、ＥＤＣＡ方式で６ＧＨｚ帯域におけるチャネルを求めて競合し、先行占有の後に別のＳＴＡにフレームを送信することが常に可能である。
【００５６】
メインチャネルは、ＡＰが６ＧＨｚで動作するメインチャネルである。チャネル帯域幅フィールド、チャネル中央周波数セグメント０フィールド、およびチャネル中央周波数セグメント１フィールドは共に、６ＧＨｚでＡＰにより確立されるＢＳＳのチャネル情報を示す。チャネル情報は、チャネル開始周波数、チャネル中央周波数、ＢＳＳ帯域幅、およびメインチャネルの周波数位置を含む。
【００５７】
チャネル中央周波数セグメント０フィールドおよびチャネル中央周波数セグメント１フィールドは、チャネル中央周波数と称される。８０２．１１ａｘの次世代（例えば、ＥＨＴ）において、帯域幅がさらに増加し、周波数セグメントの数がさらに増加する。この場合、対応するチャネル中央周波数は、２つまたはそれより多くのセグメントフィールドを含んでよい。設定方法は同様である。
【００５８】
２０ＭＨｚ  ＢＳＳ帯域幅、４０ＭＨｚ  ＢＳＳ帯域幅、および８０ＭＨｚ  ＢＳＳ帯域幅の場合、チャネル中央周波数セグメント０は、ＢＳＳ帯域幅の中央周波数シーケンス番号に設定される。１６０ＭＨｚ  ＢＳＳ帯域幅の場合、チャネル中央周波数セグメント０は、１６０Ｍ  ＢＢＳ帯域幅の一次８０ＭＨｚの中央周波数シーケンス番号に設定される。８０ＭＨｚ＋８０ＭＨｚのＢＳＳ帯域幅の場合、チャネル中央周波数セグメント０は、一次８０ＭＨｚの中央周波数シーケンス番号に設定される。
【００５９】
２０ＭＨｚ  ＢＳＳ帯域幅、４０ＭＨｚ  ＢＳＳ帯域幅、および８０ＭＨｚ  ＢＳＳ帯域幅の場合、チャネル中央周波数セグメント１フィールドは予約値０である。１６０ＭＨｚ  ＢＳＳ帯域幅の場合、チャネル中央周波数セグメント１は、１６０ＭＨｚ  ＢＢＳ帯域幅の中央周波数シーケンス番号に設定される。８０ＭＨｚ＋８０ＭＨｚのＢＳＳ帯域幅の場合、チャネル中央周波数セグメント１は、二次８０ＭＨｚの中央周波数シーケンス番号に設定される。
【００６０】
チャネル帯域幅フィールドの値およびチャネル中央周波数１フィールドのそれは共に、ＢＳＳ帯域幅を示す。これは、表１に具体的に示される。
【表１】
2021510244.tif 000003
【００６１】
上述の６ＧＨｚ動作情報フィールドは、８０２．１１ａｘにのみならず、８０２．１ａｘの次世代にも適用されてよい。８０２．１ａｘの次世代において、チャネル制御フィールドにおけるチャネル帯域幅フィールドは、帯域幅がより多くの帯域幅セット、例えば、２０ＭＨｚ、４０ＭＨｚ、８０ＭＨｚ、１６０ＭＨｚ、および３２０ＭＨｚに拡張される必要があることを示す。８０２．１ａｘの次世代において、６ＧＨｚ動作情報フィールドは、ＥＨＴ動作エレメントに含まれてよい。
【００６２】
第１フレームのＨＥ動作エレメントを参照すると、ＨＥ動作エレメントにおけるＨＥ動作パラメータフィールドの具体的な構造が図５に示される。ＨＥ動作パラメータフィールドは、アドレス情報が出現するかどうかを示すための指示情報を含む。１つのビットまたは１つのサブフィールドが、ＨＥ動作パラメータフィールドで使用され、６ＧＨｚ動作情報フィールドにアドレス情報が出現するかどうかを示す。アドレス情報が出現するかどうかを示すための指示情報が第１の値（例えば、１）である場合、６ＧＨｚ帯域で動作するＡＰのアドレス情報は６ＧＨｚ動作情報フィールドに出現し、６ＧＨｚ帯域で動作するＡＰのアドレス情報は、６ＧＨｚ動作情報フィールドのアドレス情報、例えば、６ＧＨｚ帯域で動作するＡＰのＭＡＣアドレスまたは６ＧＨｚ帯域で動作するＡＰが位置付けられるＢＳＳのＢＳＳＩＤであることを示す。アドレス情報が出現するかどうかを示すための指示情報が第２の値（例えば、０）である場合、６ＧＨｚ帯域で動作するＡＰのアドレス情報は６ＧＨｚ動作情報フィールドに出現せず、６ＧＨｚ帯域で動作するＡＰのアドレス情報は、６ＧＨｚ動作情報フィールドを送信するためのフレーム（ネイバーレポートフレームまたは隣接エレメントを含むフレームを除く）の送信アドレス、または６ＧＨｚ動作情報フィールドを送信するＡＰのＢＳＳＩＤであることを示す。第１フレームがネイバーレポートフレームまたは隣接エレメントを含むフレームであり、アドレス情報が出現するかどうかを示すための指示情報が第２の値（例えば、０）である場合、６ＧＨｚ帯域で動作するＡＰのアドレス情報は６ＧＨｚ動作情報フィールドに出現せず、６ＧＨｚ帯域で動作するＡＰのアドレス情報は、６ＧＨｚ動作情報フィールドを送信するためのネイバーレポートフレームにおけるＢＳＳＩＤ、または隣接エレメントを含むフレームの隣接エレメントにおけるＢＳＳＩＤであることを示す。
【００６３】
別の実装において、ＨＥ動作パラメータフィールドにおけるアドレス情報出現フィールドが存在しない場合、６ＧＨｚ動作情報フィールドの「６ＧＨｚ帯域で動作するステーションのアドレス情報」フィールドは出現を継続する。
【００６４】
図５に示されるように、ＨＥ動作パラメータフィールドは、６ＧＨｚ動作情報フィールドが出現するかどうかを示すための６ＧＨｚ動作情報出現フィールドをさらに含む。６ＧＨｚ動作情報出現フィールドの値が第１の値（例えば、１）に設定される場合、それは６ＧＨｚ動作情報フィールドがＨＥ動作エレメントに出現することを示し、ＡＰが６ＧＨｚにＢＳＳを確立することも暗黙的に示す。６ＧＨｚ動作情報フィールドの値が第２の値（例えば、０）に設定される場合、それは６ＧＨｚ動作情報フィールドがＨＥ動作エレメントに出現しないことを示し、ＡＰが６ＧＨｚにＢＳＳを確立しないことを暗黙的に示す。
【００６５】
図５に示されるように、ＨＥ動作パラメータフィールドの他の指示ビットは、８０２．１１ａｘにおけるＨＥ動作パラメータフィールドのそれらと同じである。他の指示ビットは、デフォルトＰＥ（パケット拡張、ｐａｃｋｅｔ  ｅｘｔｅｎｓｉｏｎ）持続時間、ＴＷＴ（目標ウェイクアップ時間、ｔａｒｇｅｔ  ｗａｋｅ‐ｕｐ  ｔｉｍｅ）要求、ＴＸＯＰ（機会の伝送、ｔｒａｎｓｍｉｓｓｉｏｎ  ｏｆ  ｏｐｐｏｒｔｕｎｉｔｙ）持続時間ＲＴＳ（送信要求、ｒｅｑｕｉｒｅ  ｔｏ  ｓｅｎｄ）閾値、ＶＨＴ動作情報出現、基本サービスセットｃｏ−ｌｏｃａｔｅｄ  ＢＳＳ、ＥＲ  ＳＵ（拡張範囲シングルユーザ、ｅｘｔｅｎｄｅｄ  ｒａｎｇｅ  ｓｉｎｇｌｅ  ｕｓｅｒ）禁止、６ＧＨｚ動作情報出現指示ビット等を含む。
【００６６】
さらに、６ＧＨｚ動作情報フィールドは、ＴＳＦ情報およびビーコンフレーム情報をさらに含む。ＴＳＦ情報は、ＴＳＦ差異情報またはＴＳＦ値を含む。ビーコンフレーム情報は、ビーコンフレーム間隔または目標ビーコンフレーム伝送時間を含む。ＴＳＦ差異情報は、６ＧＨｚで動作するＡＰのタイムスタンプと、２．４ＧＨｚおよび／または５ＧＨｚで６ＧＨｚ情報フィールドを伝送するＡＰのタイムスタンプとの間の差異を示す。ＴＳＦ値は、６ＧＨｚで動作するＡＰのタイムスタンプを示す。ビーコンフレーム間隔は、６ＧＨｚのＡＰがビーコンフレームを伝送する間隔を示す。目標ビーコンフレーム伝送時間は、６ＧＨｚのＡＰの最新のビーコンフレームの伝送時間を示す。ＴＳＦ（タイムスタンプフィールド、ｔｉｍｅ  ｓｔａｍｐ  ｆｉｅｌｄ）差異情報／ＴＳＦ値およびビーコンフレーム間隔／目標ビーコンフレーム伝送時間は、６ＧＨｚ動作情報フィールドに新しく追加される。４つのパラメータにおいて、最初の２つのパラメータはＴＳＦパラメータであり、続きの２つのパラメータは、ビーコンフレームパラメータである。最初の２つのパラメータのうちいずれか１つは、続きの２つのパラメータのうちいずれか１つと組み合わされてよい。例えば、図６に示されるように、ＴＳＦ差異情報およびビーコンフレーム間隔は６ＧＨｚ動作情報フィールドに新しく追加され、図７に示されるように、ＴＳＦ値および目標ビーコンフレーム伝送時間は６ＧＨｚ動作情報フィールドに新しく追加される。
【００６７】
別の実装において、目標ビーコンフレーム伝送時間の差異は、６ＧＨｚ動作情報フィールドに追加される必要がある。目標ビーコンフレーム伝送時間の差異は、６ＧＨｚのＡＰの目標ビーコンフレーム伝送時間と、２．４ＧＨｚ／５ＧＨｚで６ＧＨｚ動作情報フィールドを伝送するＡＰとの間の差異を示す。
【００６８】
上述の図面において新しく追加された各パラメータにより占有されるバイト数は、別のバイト数であってもよいことを留意されたい。例えば、ＴＳＦ差異情報は１バイトを占有する。
【００６９】
本願のこの実施形態において、ＡＰは、ＴＳＦ情報およびビーコンフレーム情報を６ＧＨｚ動作情報フィールドに新しく追加する。従って、関連付けられていないＳＴＡまたはローミング状態にあるＳＴＡは、６ＧＨｚ帯域で動作するＡＰがビーコンフレームを送信する時間を推定し、６ＧＨｚ帯域で動作するＡＰによって送信されるビーコンフレームに対して６ＧＨｚ帯域における対応するチャネルを効果的にリッスンすることで、６ＧＨｚ帯域で動作するＡＰのＴＳＦ情報およびビーコンフレーム情報を把握した後、６ＧＨｚ帯域で動作するＡＰの関連ＢＳＳについての情報およびクロック同期情報をさらに把握し得る。これは、受動的スキャニングを容易にする。
【００７０】
Ｓ１０２．ＡＰは、２．４ＧＨｚ帯域および／または５ＧＨｚ帯域で第１フレームを送信する。
【００７１】
Ｓ２０１．ＳＴＡは、２．４ＧＨｚ帯域および／または５ＧＨｚ帯域で第１フレームを受信し、ここで、第１フレームは、６ＧＨｚ帯域で動作するＡＰのアドレス情報を含む。
【００７２】
Ｓ２０１において、ＳＴＡは、２．４ＧＨｚ帯域および／または５ＧＨｚ帯域でＳ１０１の第１フレームを受信する。第１フレームは６ＧＨｚ動作情報フィールドを含み、６ＧＨｚ動作情報フィールドは、メインチャネル、チャネル帯域幅、チャネル中央周波数、および６ＧＨｚ帯域で動作するＡＰのアドレス情報を含む。
【００７３】
ＳＴＡが６ＧＨｚ動作情報フィールドを受信した後、６ＧＨｚ動作情報フィールドにおけるチャネルアクセスフィールドの値がＥＤＣＡ（拡張型分散チャネルアクセス、ｅｎｈａｎｃｅｄ  ｄｉｓｔｒｉｂｕｔｅｄ  ｃｈａｎｎｅｌ  ａｃｃｅｓｓ）によって６ＧＨｚ帯域におけるチャネルを先行占有することを可能にするように設定される場合、ＳＴＡは、６ＧＨｚ帯域でＢＳＳ情報により示されるメインチャネルでＡＰにプローブ要求フレームを送信し、次にＡＰにより応答されるプローブ応答フレームを取得し、認証要求フレーム／認証応答フレーム、アソシエーション要求フレーム／アソシエーション応答フレーム等を交換する後続のプロセスを使用して、ＡＰとさらに関連付けられる。
【００７４】
Ｓ２０２．ＳＴＡは、６ＧＨｚ帯域で第２フレームを送信し、ここで、第２フレームの受信アドレスは、アドレス情報内のアドレス、または第１フレームを送信する送信アドレス／第１フレームのＢＳＳＩＤフィールドである。
【００７５】
Ｓ２０２において、Ｓ２０１で説明されるように、ＳＴＡは、６ＧＨｚ帯域でＢＳＳ情報で示されるメインチャネルでＡＰに第２フレームを送信し、第２フレームの受信アドレスは、アドレス情報内のアドレスである。例えば、ＳＴＡは、６ＧＨｚ帯域でＢＳＳ情報により示されるメインチャネルにおいて、能動的スキャニングまたは受動的スキャニングを実行する。例えば、ＳＴＡは、ＡＰにプローブ要求フレームを送信し、プローブ要求フレームの受信アドレスは、６ＧＨｚ帯域で動作するステーションに関する、６ＧＨｚ動作情報フィールド内のアドレス情報に設定される。例えば、６ＧＨｚ動作情報フィールド内の、６ＧＨｚ帯域で動作するステーションのＭＡＣアドレスまたは６ＧＨｚ帯域で動作するステーションが位置付けられるＢＳＳのＢＳＳＩＤである。
【００７６】
第２フレームのＢＳＳＩＤフィールドは、６ＧＨｚ動作情報フィールドにおけるＡＰのＢＳＳＩＤフィールドまたはＭＡＣアドレスフィールドに設定される。
【００７７】
プローブ要求フレームの受信アドレスを設定する別の可能な方式において、アドレス情報が出現するかどうかを示すための指示情報が第１の値（例えば、１）である場合、要求フレームの受信アドレスは、６ＧＨｚ帯域で動作するＡＰに関する、６ＧＨｚ動作情報フィールド内のアドレス情報に設定される。例えば、６ＧＨｚ動作情報フィールド内の、６ＧＨｚ帯域で動作するＡＰのＢＳＳＩＤ、または６ＧＨｚ帯域で動作するＡＰのＭＡＣアドレスである。
【００７８】
第２フレームのＢＳＳＩＤフィールドは、６ＧＨｚ動作情報フィールドにおけるＡＰのＢＳＳＩＤフィールドまたはＭＡＣアドレスフィールドに設定される。アドレス情報が出現するかどうかを示すための指示情報が第２の値（例えば、０）である場合、要求フレームの受信アドレスは、６ＧＨｚ動作情報フィールドを送信するためのフレーム（ネイバーレポートフレームまたは隣接エレメントを含むフレームを除く）の送信アドレス、または６ＧＨｚ動作情報フィールドを送信するＡＰのＢＳＳＩＤに設定される。
【００７９】
第１フレームがネイバーレポートフレームまたは隣接エレメントを含むフレームであり、アドレス情報が出現するかどうかを示すための指示情報が第２の値（例えば、０）である場合、６ＧＨｚ帯域で動作するＡＰのアドレス情報は６ＧＨｚ動作情報フィールドに出現せず、６ＧＨｚ帯域で動作するＡＰのアドレス情報は、第２フレームの受信アドレスであり、第２フレームの受信アドレスは、６ＧＨｚ動作情報フィールドを送信するためのネイバーレポートフレームにおけるＢＳＳＩＤ、または隣接エレメントを含むフレームの隣接エレメントにおけるＢＳＳＩＤに設定されることを示す。
【００８０】
第２フレームのＢＳＳＩＤフィールドは、ＨＥ動作エレメントを搬送するフレーム（ネイバーレポートフレームまたは隣接エレメントを含むフレームを除く）のＢＳＳＩＤフィールドに設定され、ＨＥ動作エレメントを送信するのに使用されるか、または６ＧＨｚ動作情報フィールドを送信するためのネイバーレポートフレームのＢＳＳＩＤに設定されるか、または隣接エレメントを含むフレームの隣接エレメントのＢＳＳＩＤに設定される。
【００８１】
プローブ要求フレームの受信アドレスを設定する別の可能な方式において、６ＧＨｚ帯域で動作するＡＰがＢＳＳＩＤセットのＢＳＳＩＤに対応する場合、すなわち、ＡＰは仮想ＢＳＳ状態で動作し、６ＧＨｚ帯域のＳＴＡによって送信されるプローブ要求フレームの受信アドレスは伝送ＢＳＳＩＤであり、伝送ＢＳＳＩＤのＡＰは、マルチＢＳＳＩＤエレメントおよび別の非伝送ＢＳＳＩＤについての情報を含むプローブ応答フレームで応答する。伝送ＢＳＳＩＤのＡＰにより応答されたプローブ応答フレームを受信した後、ＳＴＡは、各ＡＰについての情報（例えば、ＢＳＳ負荷状態）に基づいて、アソシエーションのための適切な仮想ＡＰをさらに選択し得る。
【００８２】
６ＧＨｚ動作情報フィールドのチャネルアクセスフィールドが、ＥＤＣＡによる６ＧＨｚのチャネルの先行占有を可能にしないように設定される場合、ＳＴＡは、ＥＤＣＡ方式によって６ＧＨｚ帯域でチャネルを能動的に先行占有してデータパケットをＡＰに送信することはできないが、受動的スキャニングによってのみＡＰと関連付けられることはできることを留意されたい。例えば、ＳＴＡはビーコンフレームをリッスンし、次に、取得されたビーコンフレームに含まれる情報に基づいてＡＰと関連付けられるか、または、ＳＴＡはＡＰがトリガフレームを送信するのを待って、ＡＰと関連付けられるべきトリガフレームに応答してアソシエーション要求の情報フレームを送信する。アソシエーション要求の情報フレームは、プローブ要求フレーム、認証要求フレーム、アソシエーション要求フレーム等を含む。
【００８３】
プローブ要求フレーム／プローブ応答フレーム、認証要求フレーム／認証応答フレーム、およびアソシエーション要求フレーム／アソシエーション応答フレームを交換するプロセスはすべて、２回のハンドシェイクに関連する。具体的には、ＳＴＡはまず要求フレームを送信し、ＡＰにより応答される確認応答フレームを受信する。次にＡＰは、応答フレームを送信し、最後にＳＴＡは確認応答フレームで応答する。
【００８４】
隣接ＡＰが６ＧＨｚ帯域で動作し、隣接ＡＰが位置付けられるＢＳＳのＢＳＳＩＤがＢＳＳＩＤセットのＢＳＳＩＤである場合、すなわち、隣接ＡＰが仮想ＢＳＳ状態で動作する場合、本願のこの実施形態は、以下の解決手法をさらに提供する。
【００８５】
ＡＰは、２．４ＧＨｚ／５ＧＨｚ／６ＧＨｚ帯域等（または別の帯域でもよい）で管理フレーム（例えば、ネイバーレポートフレーム）を送信する。管理フレームは、ネイバーレポートエレメントを含む。図８に示されるように、ネイバーレポートエレメントは、エレメントＩＤフィールド、長さフィールド、ＢＳＳＩＤフィールド、ＢＳＳＩＤ情報フィールド、動作クラスフィールド、チャネル番号フィールド、ＰＨＹタイプフィールド、および任意選択的なサブエレメントフィールドを含む。
【００８６】
動作クラスフィールドおよびチャネル番号フィールドは共に、隣接ＡＰが動作する帯域を示し、チャネル番号は、隣接ＡＰが動作するメインチャネルを示す。
【００８７】
図９ａに示されるように、コロケーションＡＰフィールドはＢＳＳＩＤ情報に追加される。コロケーションＡＰフィールドは、第１の値に設定される。例えば、コロケーションＡＰフィールドが「１」に設定され、ネイバーレポートエレメントのＢＳＳＩＤに対応する隣接ＡＰ、およびネイバーレポートエレメントを送信するＡＰは同じ場所に設置されること、すなわち、同じアンテナコネクタを共有する同じアンテナインタフェースを共有する（または２つのＡＰがマルチバンドデバイスにある）ことを示す。コロケーションＡＰフィールドは、第２の値に設定される。例えば、コロケーションＡＰフィールドが「０」に設定され、ネイバーレポートエレメントのＢＳＳＩＤに対応する隣接ＡＰ、およびネイバーレポートエレメントを送信するＡＰは同じ場所に設置されないこと、すなわち、同じアンテナコネクタを共有する同じアンテナインタフェースを共有しない（または２つのＡＰがマルチバンドデバイスではない）ことを示す。
【００８８】
ＢＳＳＩＤ情報のコロケーションＡＰフィールドが第１の値に設定される場合、隣接ＡＰは６ＧＨｚ帯域で動作し、隣接ＡＰが位置付けられるＢＳＳのＢＳＳＩＤはＢＳＳＩＤセットのＢＳＳＩＤである。すなわち、隣接ＡＰは仮想ＢＳＳ状態で動作し、図８におけるネイバーレポートエレメントの任意選択的なサブエレメントは、マルチＢＳＳＩＤエレメントを含む。図１０に示されるように、マルチＢＳＳＩＤエレメントは、エレメントＩＤ、長さ、最大ＢＳＳＩＤ指示、および任意選択的なサブエレメントを含む。最大ＢＳＳＩＤ指示は、マルチＢＳＳＩＤセットに含まれるＢＳＳＩＤの最大数がｎであることを示す。任意選択的なサブエレメントは、各非伝送ＢＳＳＩＤについての情報を含む。この場合、図８に示されるネイバーレポートエレメントのＢＳＳＩＤは、ＢＳＳＩＤセットの各ＢＳＳＩＤの値を算出するための参照ＢＳＳＩＤである。受信端ＳＴＡは、参照ＢＳＳＩＤおよび最大ＢＳＳＩＤ指示に基づいて、マルチＢＳＳＩＤセットの各ＢＳＳＩＤの値を計算し得る。マルチＢＳＳＩＤセットの各ＢＳＳＩＤの上位（４８−ｎ）ビットの値は、参照ＢＳＳＩＤの上位（４８−ｎ）ビットの値を同じである。マルチＢＳＳＩＤセットの各ＢＳＳＩＤの下位ｎビットの値は、２ｎにモジュロを実行することと、ＢＳＳＩＤの連続番号ｎの値と参照ＢＳＳＩＤの下位ｎビットの値の各々との合計とによって取得される。具体的な算出方法については、８０２．１１‐２０１６規格プロトコルを参照されたい。
【００８９】
ＢＳＳＩＤ情報のコロケーションＡＰフィールドが第１の値に設定される場合、隣接ＡＰは６ＧＨｚ帯域で動作し、隣接ＡＰが位置付けられるＢＳＳのＢＳＳＩＤはＢＳＳＩＤセットのＢＳＳＩＤである。すなわち、隣接ＡＰは仮想ＢＳＳ状態で動作し、図８におけるネイバーレポートエレメントの任意選択的なサブエレメントは、マルチＢＳＳＩＤエレメントを含み、伝送ＢＳＳＩＤを示す情報はさらに、追加される必要がある。ある方式において、ネイバーレポートエレメントはさらに、マルチＢＳＳＩＤシーケンス番号エレメントを含む必要がある。図１１に示されるように、マルチＢＳＳＩＤシーケンス番号エレメントは、エレメントＩＤ、長さ、ＢＳＳＩＤシーケンス番号、ＤＴＩＭ周期（任意選択的）、およびＤＩＴＭカウント（任意選択的）を含む。ＢＳＳＩＤシーケンス番号は、マルチＢＳＳＩＤセットのＢＳＳＩＤの位置ｎを示す。この場合、図１１におけるＢＳＳＩＤシーケンス番号は、伝送ＢＳＳＩＤの連続番号である。
【００９０】
別の方式において、１バイトのＢＳＳＩＤシーケンス番号または６バイトの伝送ＢＳＳＩＤフィールドは、ネイバーレポートエレメントに直接追加される。
【００９１】
可能な実装において、図９ａでは、コロケーションＡＰフィールドはフィールドまで拡張されてよい。拡張されたフィールドは、コロケーションマルチバンドＡＰフィールドと称される。０などのコロケーションマルチバンドＡＰフィールドの第１の値は、報告されたＡＰがマルチバンドＡＰではないことを示す。１などのコロケーションマルチバンドＡＰフィールドの第２の値は、報告されたＡＰがマルチバンドＡＰの最初に報告されたＡＰであることを示す。２などのコロケーションマルチバンドＡＰフィールドの第３の値は、報告されたＡＰがマルチバンドＡＰの最後に報告されたＡＰであることを示す。３などのコロケーションマルチバンドＡＰフィールドの第４の値は、報告されたＡＰがマルチバンドＡＰの中間報告されたＡＰであることを示す。複数の中間報告されたＡＰがあり得る。４などのコロケーションマルチバンドＡＰフィールドの第５の値は、報告されたＡＰおよび報告するＡＰが同じ場所に設置され得ることを示す。
【００９２】
別の可能な実装において、図９ａでは、コロケーションＡＰフィールドは、ネイバーレポートエレメントのＢＳＳＩＤに対応する隣接ＡＰと、ネイバーレポートエレメントを送信するＡＰとが同じ場所に設置されるかどうかのみを示す。
【００９３】
図９ｂにおいて、マルチバンドフィールドは、ネイバーレポートエレメントのＢＳＳＩＤにより示される隣接ＡＰがマルチバンドデバイスに位置付けられるかどうかを示すために追加され、ここでマルチバンドは６ＧＨｚ帯域を含む。
【００９４】
また、報告されたＡＰは、隣接エレメントにおいてＢＳＳＩＤにより示される隣接ＡＰまたはＡＰと称されてよく、報告するＡＰは、ネイバーレポートエレメントを伝送するＡＰである。
【表２】
2021510244.tif 000004
【００９５】
ＳＴＡ側において、ＳＴＡは、ＡＰによって送信される管理フレーム（例えば、ネイバーレポートフレーム）を受信する。管理フレームは、ネイバーレポートエレメントを含む。ネイバーレポートエレメントのＢＳＳＩＤ情報フィールドにおけるコロケーションＡＰフィールドが１に設定される場合、それはＢＳＳＩＤフィールドに対応する隣接ＡＰが６ＧＨｚ帯域で動作することを示す。ＢＳＳＩＤ、動作クラス、およびチャネル番号に基づいて、ＳＴＡは、６ＧＨｚに対応するチャネル番号により示されるチャネルで、アソシエーション要求のユニキャスト情報フレームを６ＧＨｚ帯域で動作する隣接ＡＰに送信し、これにより隣接ＡＰはアソシエーションおよび通信を実行する。アソシエーション要求の情報フレームは、プローブ要求フレーム、認証要求フレーム、アソシエーション要求フレームなどのフレームを含む。ＢＳＳＩＤ情報フィールドにおけるコロケーションＡＰが０に設定される場合、ＳＴＡはチャネルをリッスンすることを続行する。
【００９６】
上述した方法は、関連付けられていないステーションまたはローミング状態にあるステーションがブロードキャストプローブ要求フレームを送信することを禁止することに基づく。別の実装において、関連付けられていないステーションまたはローミング状態にあるステーションは、ＢＳＳＩＤフィールドがワイルドカードＢＳＳＩＤであるおよび／またはＳＳＩＤエレメントがワイルドカードＳＳＩＤであるブロードキャストプローブ要求フレームを送信することを禁止され、関連付けられていないステーションまたはローミング状態にあるステーションは、ＢＳＳＩＤフィールドがワイルドカードＢＳＳＩＤでないまたはＳＳＩＤエレメントがワイルドカードＳＳＩＤでないブロードキャストプローブ要求フレームを送信することが可能である。この場合、周辺のＡＰがブロードキャストプローブ要求フレームを受信した後、すべての周辺のＡＰがプローブ応答フレームで応答するのではなく、条件を満たすＡＰのみがプローブ応答フレームで応答する。条件は、以下の通りである。１．ＡＰの拡張サービスセットＥＳＳ（ｅｘｔｅｎｄｅｄ  ｓｅｒｖｉｃｅ  ｓｅｔ）のＳＳＩＤは、受信されるプローブ要求フレームのＳＳＩＤと一致する。２．ＡＰのＢＢＳＩＤは、受信されるプローブ要求フレームのＢＳＳＩＤと一致する。
【００９７】
ＡＰ側において、６ＧＨｚ情報フィールドを送信するためのフレームは、ＡＰのＭＡＣアドレスまたはＢＳＳＩＤを搬送するか、またはネイバーレポートエレメントを送信するためのフレームは、隣接ＡＰのＭＡＣアドレスまたはＢＳＳＩＤを搬送する。代替的に、ネイバーレポートエレメントを送信するためのフレームは、隣接ＡＰが位置付けられるＥＳＳのＳＳＩＤを搬送し、ＳＳＩＤエレメントまたはＳＳＩＤリストエレメントを隣接エレメントのサブエレメントとして搬送する。
【００９８】
ＳＴＡ側において、ステーションによって送信されるブロードキャストプローブ要求フレームのＢＳＳＩＤフィールドは、６ＧＨｚ情報フィールドのＢＳＳＩＤ、または６ＧＨｚ情報フィールドを送信するためのフレームの送信アドレスまたはＢＳＳＩＤフィールド、またはネイバーレポートエレメントのＢＳＳＩＤ、またはネイバーレポートエレメントに示される伝送ＢＳＳＩＤに設定される必要がある。ＳＳＩＤは、ワイルドカードＳＳＩＤの代わりに、ブロードキャストプローブ要求フレームのＳＳＩＤエレメントにより指定される。任意選択的に、ＳＳＩＤリストエレメントがさらに搬送される。指定されたＳＳＩＤは、ネイバーレポートエレメントを搬送する受信されたフレームに含まれるＳＳＩＤエレメントまたはＳＳＩＤリストエレメントから由来する。
【００９９】
本出願の上述の実施形態は、情報指示方法を提供する。本願の以下の実施形態は、情報指示装置を提供する。本願の実施形態における情報指示装置は、上述した方法における情報指示装置の任意の機能を有することを理解すべきである。
【０１００】
図１２に示されるように、情報指示装置は、第１フレームを生成するように構成される処理ユニット１０１であって、ここで、第１フレームは、６ＧＨｚ帯域で動作するステーションのアドレス情報を含む、処理ユニット１０１と、２．４ＧＨｚ帯域および／または５ＧＨｚ帯域で第１フレームを送信するように構成される送受信機ユニット１０２とを含む。
【０１０１】
図１２に示される情報指示装置は、上述した方法における送信ステーション（例えば、ＡＰ）の任意の機能を有する。本明細書では、詳細について再び説明しない。詳細については、上述した方法の説明を参照されたい。
【０１０２】
図１３に示されるように、情報指示装置は、２．４ＧＨｚ帯域および／または５ＧＨｚ帯域で第１フレームを受信することであって、ここで、第１フレームは、６ＧＨｚ帯域で動作するステーションのアドレス情報を含む、受信することと、６ＧＨｚ帯域で第２フレームを送信することとを行うように構成される送受信機ユニット２０１と、第２フレームを生成することと、６ＧＨｚ帯域で第２フレームを送信するように送受信機ユニット２０１を制御することとを行うように構成される処理ユニット２０２であって、ここで、第２フレームの受信アドレスは、アドレス情報内のアドレスである、処理ユニット２０２とを含む。
【０１０３】
図１３に示される情報指示装置は、上述した方法におけるステーション（例えば、ＳＴＡ）の任意の機能を有する。本明細書では、詳細について再び説明しない。詳細については、上述した方法の説明を参照されたい。
【０１０４】
本出願の上述の実施形態に提供される情報指示装置は、複数の製品形態で実装されてよい。例えば、情報指示装置は、汎用処理システムとして構成されてよい。例えば、情報指示装置は、一般的なバスアーキテクチャを使用して実装されてよい。例えば、情報指示装置は、ＡＳＩＣ（特定用途向け集積回路）などにより実装されてよい。以下では、本願の実施形態における情報指示装置のいくつかの可能な製品形態を提供する。以下は一例に過ぎず、本願の実施形態における可能な製品形態はこれに限定されないことを理解すべきである。
【０１０５】
図１４は、本願の実施形態に係る情報指示装置の可能な製品形態の構造図である。
【０１０６】
可能な製品形態において、情報指示装置は情報指示デバイスであってよく、情報指示デバイスはプロセッサ１４０２および送受信機１４０４を含む。任意選択的に、情報指示デバイスは記憶媒体１４０３をさらに含んでよい。
【０１０７】
別の可能な製品形態において、情報指示装置は、汎用プロセッサによって実装されてもよい。すなわち、俗称チップによって実装されてもよい。汎用プロセッサは、プロセッサ１４０２および送受信機インタフェース１４０４／送受信機ピン１４０４を含む。任意選択的に、汎用プロセッサは、記憶媒体１４０３をさらに含んでよい。
【０１０８】
別の可能な製品形態において、情報指示装置は、１または複数のＦＰＧＡ（フィールドプログラマブルゲートアレイ）、ＰＬＤ（プログラマブルロジックデバイス）、コントローラ、ステートマシン、ゲートロジック、個別ハードウェア構成要素、任意の他の適切な回路、または本願に説明される様々な機能を実行し得る回路の任意の組み合わせといった構成要素を使用して実装されてもよい。
【０１０９】
本明細書における「および／または」という用語は、関連対象物を説明するための対応関係のみを説明しており、３つの関係が存在し得ることを表していることを理解すべきである。例えば、Ａおよび／またはＢは、Ａのみが存在する、ＡおよびＢが両方存在する、および、Ｂのみが存在するという３つの場合を表し得る。加えて、本明細書における「／」という記号は概して、関連対象物間の「または」の関係を示す。
【０１１０】
当業者であれば、本明細書において開示された実施形態における例と組み合わせて、方法の段階および構成が、電子ハードウェア、コンピュータソフトウェア、またはこれらの組み合わせによって実装され得ることを認識し得る。ハードウェアとソフトウェアとの間の互換性を明確に説明すべく、上述のものは概して、各実施形態の段階および構成を機能に応じて説明している。機能がハードウェアで実行されるか、またはソフトウェアで実行されるかは、技術的解決手段の特定の適用例および設計制約条件によって決まる。当業者であれば、各特定の適用例のために説明された機能を実装するために異なる方法を使用してよいが、実装が本願の範囲を超えるとみなされるべきではない。
【０１１１】
当業者であれば明確に理解され得るように、簡便かつ簡単な説明のために、上述のシステム、装置、およびユニットの詳細な動作プロセスについては、上述した方法の実施形態における対応するプロセスが参照されてよく、本明細書では詳細について再び説明しない。
【０１１２】
本願に提供されるいくつかの実施形態において、開示されたシステム、装置、および方法は、他の方式で実装され得ることを理解すべきである。例えば、説明された装置の実施形態は、単なる一例に過ぎない。例えば、ユニットの分割は、単なる論理的な機能の分割に過ぎず、実際の実装においては他の分割であってもよい。例えば、複数ユニットまたは構成要素が組み合わされても別のシステムに統合されてもよく、または、一部の特徴が無視されても実行されなくてもよい。加えて、表示されたまたは論じられた相互の連結または直接連結または通信接続は、いくつかのインタフェース、装置間またはユニット間の間接的な連結または通信接続、または電気的接続、機械的接続、もしくは他の形態の接続によって実装されてよい。
【０１１３】
別個の部分として説明されたユニットは、物理的に別個であってもなくてもよく、ユニットとして表示された部分は物理ユニットであってもなくてもよく、一か所に位置付けられてもよく、複数のネットワークユニットに分散されてもよい。一部またはすべてのユニットは、実際の要件に従って選択され、本願における実施形態の解決手法の目的を実現してよい。
【０１１４】
加えて、本願の実施形態における機能ユニットは、１つの処理ユニットに統合されてもよく、または、ユニットの各々は、物理的に単独で存在してもよく、または、２つまたはそれより多くのユニットが１つのユニットに統合される。統合ユニットは、ハードウェアの形態で実装されてもよく、またはソフトウェア機能ユニットの形態で実装されてもよい。
【０１１５】
統合ユニットがソフトウェア機能ユニットの形態で実装され、独立製品として販売または使用される場合、統合ユニットは、コンピュータ可読記憶媒体に記憶されてよい。そのような理解に基づいて、本質的には本願の技術的解決手段、または先行技術に寄与する部分、または当該技術的解決手段の全部または一部が、ソフトウェア製品の形態で実装されてよい。ソフトウェア製品は、記憶媒体に記憶され、本願の実施形態において説明される方法の段階の全部または一部を実行するように、コンピュータデバイス（パーソナルコンピュータ、サーバ、またはネットワークデバイスであってよい）に命令するためのいくつかの命令を含む。上述の記憶媒体は、ＵＳＢフラッシュドライブ、リムーバブルハードディスク、リードオンリメモリ（ｒｅａｄ−ｏｎｌｙ  ｍｅｍｏｒｙ，ＲＯＭ）、ランダムアクセスメモリ（ｒａｎｄｏｍ  ａｃｃｅｓｓ  ｍｅｍｏｒｙ，ＲＡＭ）、磁気ディスク、または光ディスクなど、プログラムコードを記憶し得る任意の媒体を含む。
【０１１６】
上述の説明は本願の特定の実施形態に過ぎず、本願の保護範囲を限定することを意図するものではない。本願において開示された技術的範囲内で当業者により容易に想到されるあらゆる変形または置換は、本願の保護範囲に含まれるものとする。従って、本願の保護範囲は、特許請求の範囲の保護範囲に従うものとする。
【図１】
2021510244.tif 000005
【図２】
2021510244.tif 000006
【図３】
2021510244.tif 000007
【図４】
2021510244.tif 000008
【図５】
2021510244.tif 000009
【図６】
2021510244.tif 000010
【図７】
2021510244.tif 000011
【図８】
2021510244.tif 000012
【図９ａ】
2021510244.tif 000013
【図９ｂ】
2021510244.tif 000014
【図１０】
2021510244.tif 000015
【図１１】
2021510244.tif 000016
【図１２】
2021510244.tif 000017
【図１３】
2021510244.tif 000018
【図１４】
2021510244.tif 000019
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
情報指示方法であって、
第１フレームを生成する段階であって、前記第１フレームは、ネイバーレポートエレメントを有し、前記ネイバーレポートエレメントは、ＢＳＳＩＤフィールドと、マルチバンドフィールドを含むＢＳＳＩＤ情報フィールドとを含み、前記マルチバンドフィールドは、前記ＢＳＳＩＤフィールドにより示される隣接ＡＰがマルチバンドデバイスに位置付けられるかどうかを示すのに使用され、マルチバンドは６ＧＨｚ帯域を含む、生成する段階と、
２．４ＧＨｚ帯域または５ＧＨｚ帯域で前記第１フレームを送信する段階と
を備える、方法。
【請求項２】
前記ネイバーレポートエレメントはさらに、エレメントＩＤフィールド、長さフィールド、動作クラスフィールド、チャネル番号フィールド、ＰＨＹタイプフィールド、および任意選択的なサブエレメントフィールドを含む、請求項１に記載の方法。
【請求項３】
動作クラスフィールドおよびチャネル番号フィールドは共に、前記隣接ＡＰが動作する帯域を示す、請求項２に記載の方法。
【請求項４】
チャネル番号フィールドは、前記隣接ＡＰが動作するメインチャネルを示す、請求項２または３に記載の方法。
【請求項５】
前記ＢＳＳＩＤ情報フィールドは、コロケーションＡＰフィールドを含み、前記コロケーションＡＰフィールドは、前記ＢＳＳＩＤフィールドにより示される前記隣接ＡＰと前記第１フレームを送信するＡＰが同じ場所に設置されるかどうかを示すのに使用される、請求項１から４のいずれか一項に記載の方法。
【請求項６】
前記マルチバンドフィールドは、前記第１フレームを受信する装置が６ＧＨｚ  ＡＰを検出するのを容易にする、請求項１から５のいずれか一項に記載の方法。
【請求項７】
情報指示方法であって、
２．４ＧＨｚ帯域または５ＧＨｚ帯域で第１フレームを受信する段階であって、前記第１フレームはネイバーレポートエレメントを有し、前記ネイバーレポートエレメントは、ＢＳＳＩＤフィールドと、マルチバンドフィールドを含むＢＳＳＩＤ情報フィールドとを含み、前記マルチバンドフィールドは、前記ＢＳＳＩＤフィールドにより示される隣接ＡＰがマルチバンドデバイスに位置付けられるかどうかを示すのに使用され、マルチバンドは６ＧＨｚ帯域を含む、受信する段階と、
前記ＢＳＳＩＤフィールドにより示される前記隣接ＡＰが前記マルチバンドデバイスに位置付けられるかどうかを決定する段階であって、前記マルチバンドは６ＧＨｚ帯域を含む、決定する段階と
を備える、方法。
【請求項８】
前記ネイバーレポートエレメントはさらに、エレメントＩＤフィールド、長さフィールド、動作クラスフィールド、チャネル番号フィールド、ＰＨＹタイプフィールド、および任意選択的なサブエレメントフィールドを含む、請求項７に記載の方法。
【請求項９】
動作クラスフィールドおよびチャネル番号フィールドは共に、前記隣接ＡＰが動作する帯域を示す、請求項８に記載の方法。
【請求項１０】
チャネル番号フィールドは、前記隣接ＡＰが動作するメインチャネルを示す、請求項８または９に記載の方法。
【請求項１１】
前記ＢＳＳＩＤ情報フィールドは、コロケーションＡＰフィールドを含み、前記コロケーションＡＰフィールドは、前記ＢＳＳＩＤフィールドにより示される前記隣接ＡＰと前記第１フレームを送信するＡＰが同じ場所に設置されるかどうかを示すのに使用される、請求項７から１０のいずれか一項に記載の方法。
【請求項１２】
前記マルチバンドフィールドは、前記第１フレームを受信する装置が６ＧＨｚ  ＡＰを検出するのを容易にする、請求項７から１１のいずれか一項に記載の方法。
【請求項１３】
プロセッサおよび送受信機を備える情報指示装置であって、前記プロセッサおよび前記送受信機は、内部接続により互いに通信し、
前記プロセッサは第１フレームを生成するように構成され、前記第１フレームは、ネイバーレポートエレメントを有し、前記ネイバーレポートエレメントは、マルチバンドフィールドを含むＢＳＳＩＤフィールドおよびＢＳＳＩＤ情報フィールドを含み、前記マルチバンドフィールドは、前記ＢＳＳＩＤフィールドにより示される隣接ＡＰがマルチバンドデバイスに位置付けられるかどうかを示すのに使用され、マルチバンドは６ＧＨｚ帯域を含み、
前記送受信機は、２．４ＧＨｚ帯域または５ＧＨｚ帯域で前記第１フレームを送信するように構成される、
装置。
【請求項１４】
前記ネイバーレポートエレメントはさらに、エレメントＩＤフィールド、長さフィールド、動作クラスフィールド、チャネル番号フィールド、ＰＨＹタイプフィールド、および任意選択的なサブエレメントフィールドを含む、請求項１３に記載の装置。
【請求項１５】
動作クラスフィールドおよびチャネル番号フィールドは共に、前記隣接ＡＰが動作する帯域を示す、請求項１４に記載の装置。
【請求項１６】
チャネル番号フィールドは、前記隣接ＡＰが動作するメインチャネルを示す、請求項１３または１４に記載の装置。
【請求項１７】
前記ＢＳＳＩＤ情報フィールドは、コロケーションＡＰフィールドを含み、前記コロケーションＡＰフィールドは、前記ＢＳＳＩＤフィールドにより示される前記隣接ＡＰと前記第１フレームを送信するＡＰが同じ場所に設置されるかどうかを示すのに使用される、請求項１３から１６のいずれか一項に記載の装置。
【請求項１８】
前記マルチバンドフィールドは、前記第１フレームを受信する装置が６ＧＨｚ  ＡＰを検出するのを容易にする、請求項１３から１７のいずれか一項に記載の装置。
【請求項１９】
プロセッサおよび送受信機を備える情報指示装置であって、前記プロセッサおよび前記送受信機は、内部接続によって互いに通信し、
前記送受信機は、２．４ＧＨｚ帯域または５ＧＨｚ帯域で第１フレームを受信するように構成され、前記第１フレームはネイバーレポートエレメントを有し、前記ネイバーレポートエレメントは、マルチバンドフィールドを含むＢＳＳＩＤフィールドおよびＢＳＳＩＤ情報フィールドを含み、前記マルチバンドフィールドは、前記ＢＳＳＩＤフィールドにより示される隣接ＡＰがマルチバンドデバイスに位置付けられるかどうかを示すのに使用され、マルチバンドは６ＧＨｚ帯域を含み、
前記プロセッサは、前記ＢＳＳＩＤフィールドにより示される前記隣接ＡＰが前記マルチバンドデバイスに位置付けられるかどうかを決定するように構成され、前記マルチバンドは６ＧＨｚ帯域を含む、
装置。
【請求項２０】
前記ネイバーレポートエレメントはさらに、エレメントＩＤフィールド、長さフィールド、動作クラスフィールド、チャネル番号フィールド、ＰＨＹタイプフィールド、および任意選択的なサブエレメントフィールドを含む、請求項１９に記載の装置。
【請求項２１】
動作クラスフィールドおよびチャネル番号フィールドは共に、前記隣接ＡＰが動作する帯域を示す、請求項２０に記載の装置。
【請求項２２】
チャネル番号フィールドは、前記隣接ＡＰが動作するメインチャネルを示す、請求項２０または２１に記載の装置。
【請求項２３】
前記ＢＳＳＩＤ情報フィールドは、コロケーションＡＰフィールドを含み、前記コロケーションＡＰフィールドは、前記ＢＳＳＩＤフィールドにより示される前記隣接ＡＰと前記第１フレームを送信するＡＰが同じ場所に設置されるかどうかを示すのに使用される、請求項１９から２２のいずれか一項に記載の装置。
【請求項２４】
前記マルチバンドフィールドは、前記第１フレームを受信する装置が６ＧＨｚ  ＡＰを検出するのを容易にする、請求項１９から２３のいずれか一項に記載の装置。
【手続補正２】
【補正対象書類名】明細書
【補正対象項目名】０００３
【補正方法】変更
【補正の内容】
【０００３】
新しく開放された６ＧＨｚ帯域の周波数範囲は、１ＧＨｚより広い。関連付けられていない非アクセスステーション（Ｎｏｎ  ＡＰ  Ｓｔａｔｉｏｎ）またはローミング状態にある非アクセスステーション（Ｎｏｎ  ＡＰ  Ｓｔａｔｉｏｎ）は、１ＧＨｚより広い帯域を能動的にスキャンして、周辺のアクセスポイント（ＡＰ）についての情報を取得する必要がある。以下の方式は、１ＧＨｚより広い帯域の各チャネルを継続的に切り替え、ブロードキャストによってプローブ要求フレーム（Ｐｒｏｂｅ  Ｒｅｑｕｅｓｔ）を送信して周辺のＡＰにより応答されるプローブ応答フレームを取得し、次にアソシエーションのために適切なＡＰを選択するのに使用される。しかしながら、この方法のデメリットは、長時間を要すること、エネルギー消費量が多いこと、および６ＧＨｚ帯域における不要な輻輳である。
【手続補正３】
【補正対象書類名】明細書
【補正対象項目名】００４７
【補正方法】変更
【補正の内容】
【００４７】
新しく開放された６ＧＨｚ帯域の周波数範囲は、１ＧＨｚより広い。関連付けられていないステーションまたはローミング状態にあるステーションＳＴＡは、１ＧＨｚより広い帯域を能動的にスキャンして、周辺のＡＰについての情報を取得する必要がある。以下の方式は、１ＧＨｚより広い帯域の各チャネルを継続的に切り替え、ブロードキャストによってプローブ要求フレーム（Ｐｒｏｂｅ  Ｒｅｑｕｅｓｔ）を送信して周辺のＡＰにより応答されるプローブ応答フレームを取得し、次にアソシエーションのために適切なＡＰを選択するのに使用される。しかしながら、この方法のデメリットは、長時間を要すること、エネルギー消費量が多いこと、および６ＧＨｚ帯域における不要な輻輳である。例えば、（１）関連付けられていないステーションまたはローミング状態にあるステーションがブロードキャストプローブ要求フレームを送信することは禁止されている。（２）ステーションが、６ＧＨｚで８０２．１１ｎデータパケットＨＴ  ＰＰＤＵおよび８０２．１１ａｃデータパケットＶＨＴ  ＰＰＤＵを送信することは禁止されている。（３）６ＧＨｚ動作情報フィールドを含む６ＧＨｚ帯域のＢＳＳ情報は、２．４ＧＨｚおよび５ＧＨｚでブロードキャストされ、ここで、６ＧＨｚ動作情報フィールドは、ＢＳＳ帯域幅、メインチャネル、およびチャネルアクセスメカニズムを含む。関連付けられていないステーションまたはローミング状態にあるステーションは、２．４ＧＨｚ／５ＧＨｚで受信される６ＧＨｚ帯域のＢＳＳ情報を使用して、６ＧＨｚのＡＰと関連付けられ、通信する。
【手続補正４】
【補正対象書類名】明細書
【補正対象項目名】００８９
【補正方法】変更
【補正の内容】
【００８９】
ＢＳＳＩＤ情報のコロケーションＡＰフィールドが第１の値に設定される場合、隣接ＡＰは６ＧＨｚ帯域で動作し、隣接ＡＰが位置付けられるＢＳＳのＢＳＳＩＤはＢＳＳＩＤセットのＢＳＳＩＤである。すなわち、隣接ＡＰは仮想ＢＳＳ状態で動作し、図８におけるネイバーレポートエレメントの任意選択的なサブエレメントは、マルチＢＳＳＩＤエレメントを含み、伝送ＢＳＳＩＤを示す情報はさらに、追加される必要がある。ある方式において、ネイバーレポートエレメントはさらに、マルチＢＳＳＩＤシーケンス番号エレメントを含む必要がある。図１１に示されるように、マルチＢＳＳＩＤシーケンス番号エレメントは、エレメントＩＤ、長さ、ＢＳＳＩＤシーケンス番号、ＤＴＩＭ周期（任意選択的）、およびＤＴＩＭカウント（任意選択的）を含む。ＢＳＳＩＤシーケンス番号は、マルチＢＳＳＩＤセットのＢＳＳＩＤの位置ｎを示す。この場合、図１１におけるＢＳＳＩＤシーケンス番号は、伝送ＢＳＳＩＤの連続番号である。
【国際調査報告】
2021510244.tif 000020
2021510244.tif 000021
2021510244.tif 000022
2021510244.tif 000023